(57)【要約】【課題】電圧監視ユニットと電池セルの有する端子とを導通させる電気配線の配策を短距離で実現することが可能な電池組立体を提供する。【解決手段】電池パック及び電池モジュールの電池組立体は、Ｘ軸方向に積層された複数の電池セルと、Ｘ軸方向両端の電池セルに隣接して配置され、複数の電池セルを挟持する一対のエンドプレートと、Ｘ軸方向に延在し、一対のエンドプレートを拘束する拘束部材と、電池セルの有するセル端子のうち少なくとも一方の所定端子の配置位置に対して拘束部材を挟んで交差する位置に配置され、電池セルの電圧を監視する電圧監視ユニットと、電圧監視ユニットと上記の所定端子とを導通させる電気配線と、を備える。電気配線の一部は、拘束部材の表面に拘束部材に対して交差するように配策されている。【選択図】図４
2018073617.tif 000002
【特許請求の範囲】
【請求項１】
所定方向（Ｘ）に積層された複数の電池セル（１４）と、
前記所定方向両端の前記電池セルに隣接して配置され、前記複数の前記電池セルを挟持する一対のエンドプレート（２０，２２，３０，３２）と、
前記所定方向に延在し、一対の前記エンドプレートを拘束する拘束部材（３４）と、
前記電池セルの有するセル端子（１６，１８）のうち少なくとも一方の所定端子の配置位置に対して前記拘束部材を挟んで交差する位置に配置され、前記電池セルの電圧を監視する電圧監視ユニット（４４）と、
前記電圧監視ユニットと前記所定端子とを導通させる電気配線（５０，５０−１，２０４，２０４−１）と、
を備える電池組立体（１０，１２，１００，１０２，２００，２０２）であって、
前記電気配線の一部は、前記拘束部材の表面に前記拘束部材に対して交差するように配策されている電池組立体。
【請求項２】
前記電池セルの前記拘束部材側の表面上に配置される樹脂部材（４２）を備え、
前記電気配線は、前記樹脂部材の表面に配策され、端子部（６０）を有する第１配線部（５２）と、前記第１配線部とは別体で前記拘束部材の表面に配策され、端子部（６２，２０８）を有する第２配線部（５４，２０６）と、を有し、
前記第１配線部の端子部と前記第２配線部の端子部とは、対向配置されつつ互いに電気的に接続されている請求項１記載の電池組立体。
【請求項３】
前記第１配線部の端子部と前記第２配線部の端子部との間に介在する圧接ばね（１０４）と、
前記圧接ばねを収縮させつつ前記第１配線部と前記第２配線部（５４）との位置関係を保持する保持部材（１０６）と、
を備える請求項２記載の電池組立体。
【請求項４】
前記第１配線部及び前記第２配線部は共に、プリント配線である請求項２又は３記載の電池組立体。
【請求項５】
前記第２配線部（２０６）は、前記第１配線部に対して位置固定された状態で前記拘束部材を前記電池セル側へ押圧する機能を有する請求項２記載の電池組立体。
【請求項６】
前記拘束部材は、前記電池セルで発生するガスを排出するための通路である排煙ダクト（３６）を構成している請求項１乃至５の何れか一項記載の電池組立体。
【請求項７】
所定方向（Ｘ）に積層されると共に、前記所定方向に直交する直交方向（Ｙ）に積層された複数の電池セル（１４）と、
前記所定方向両端の前記電池セルに隣接して配置され、前記直交方向に積層される前記電池セル同士の位置関係を保持しつつ、前記所定方向に積層される前記電池セルを挟持する一対のエンドプレート（２０，２２，３０，３２）と、
前記直交方向に積層される前記電池セルの数に対応して複数設けられ、前記所定方向に延在し、一対の前記エンドプレートを拘束する拘束部材（３４）と、
前記電池セルの有するセル端子（１６，１８）のうち少なくとも一方の所定端子の配置位置に対して何れか一つ以上の前記拘束部材を挟んで交差する位置に配置され、前記電池セルの電圧を監視する電圧監視ユニット（４４）と、
前記電圧監視ユニットと前記所定端子とを導通させる電気配線（５０，５０−１，２０４，２０４−１）と、
を備える電池組立体（１０，１２，１００，１０２，２００，２０２）であって、
前記電気配線の一部は、前記拘束部材の表面に前記拘束部材に対して交差するように配策されている電池組立体。
【発明の詳細な説明】
【技術分野】
【０００１】
本発明は、電池セルが複数積層された電池組立体に関する。
【背景技術】
【０００２】
従来、バッテリを構成する電池組立体が知られている（例えば、特許文献１参照）。この電池組立体は、所定方向に積層された複数の電池セルを有している。各電池セルは、正極と負極とセパレータとからなる電極組立体と、その電極組立体を収容する密閉体と、密閉体を貫いて外部に露出する電極端子と、を有している。密閉体には、電極組立体で発生したガスを密閉体外へ放出するためのベントが設けられている。各電池セルの電極端子は、隣接する電池セルの電極端子にバスバを介して連結されている。
【０００３】
電池組立体の所定方向両端には、エンドプレートが設けられている。この一対のエンドプレートは、所定方向に積層された複数の電池セルをその両端間で挟持する。また、電池組立体の上面及び下面には、一対のエンドプレートを繋ぐ拘束部材が設置されている。この拘束部材は、電池セルが積層される所定方向に沿ってその積層方向全域に亘って延びており、一対のエンドプレートを拘束することによって所定方向に積層された複数の電池セルを保持する。また、この拘束部材は、排煙ダクトを構成する。この拘束部材は、電池セルのベントごとに開いた開口部を有していると共に、ベントから放出されたガスが流れるダクト空間を形成する。ベントから放出されたガスは、このダクト空間を通って外部へ排出される。
【先行技術文献】
【特許文献】
【０００４】
【特許文献１】特開２０１１−１０８６５３号公報
【発明の概要】
【発明が解決しようとする課題】
【０００５】
ところで、電池セルの両端間に生じる電圧を電圧監視ユニットを用いて監視することがある。この電圧監視ユニットが、電池セルの有する所定端子（具体的には、正極端子及び負極端子の少なくとも何れか一方）の配置位置に対して拘束部材を挟んで交差する位置に配置される構造では、電圧監視ユニットとその電池セルの有する端子とを導通させるために、その端子から電圧監視ユニットまで途切れることなく電気配線を配策することが必要である。一方、電圧監視ユニットと電池セルの有する端子との間には、電池セルが積層される積層方向全域に亘って拘束部材が延びているので、上記の導通を確保するためには、上記の電気配線の配策を拘束部材との交差を避けて遠回りさせることなどが必要となる。しかしながら、かかる遠回りさせる構造では、電圧監視ユニットと電池セルの有する端子とを導通させる電気配線の配策を短距離で実現することは困難である。
【０００６】
本発明は、上述した課題を解決するためになされたものであり、電圧監視ユニットと電池セルの有する端子とを導通させる電気配線の配策を短距離で実現することが可能な電池組立体を提供することを目的とする。
【課題を解決するための手段】
【０００７】
上記した課題を解決するためになされた請求項１記載の発明は、所定方向に積層された複数の電池セルと、前記所定方向両端の前記電池セルに隣接して配置され、前記複数の前記電池セルを挟持する一対のエンドプレートと、前記所定方向に延在し、一対の前記エンドプレートを拘束する拘束部材と、前記電池セルの有するセル端子のうち少なくとも一方の所定端子の配置位置に対して前記拘束部材を挟んで交差する位置に配置され、前記電池セルの電圧を監視する電圧監視ユニットと、前記電圧監視ユニットと前記所定端子とを導通させる電気配線と、を備える電池組立体であって、前記電気配線の一部は、前記拘束部材の表面に前記拘束部材に対して交差するように配策されている電池組立体である。
【０００８】
この構成によれば、電圧監視ユニットと電池セルの所定端子とを導通させる電気配線の一部が、拘束部材の表面に拘束部材に対して交差するように配策されるので、電圧監視ユニットと電池セルの有する所定端子との導通を確保するために、各電気配線の配策を、拘束部材と交差させずにＸ軸方向に延在させて遠回りさせることは不要である。従って、電圧監視ユニットと電池セルの有する所定端子とを導通させる電気配線の配策を短距離で実現することができる。
【０００９】
尚、特許請求の範囲に記載した各構成要素の後に書かれた括弧内の符号は、それらの各構成要素と後述する実施形態記載の構成要素との対応関係を示すものである。
【図面の簡単な説明】
【００１０】
【図１】本発明の第１実施形態に係る電池パックの斜視図である。
【図２】第１実施形態の電池パックが備える電池モジュールの斜視図である。
【図３】第１実施形態の電池パックが備える電池モジュールの上面図である。
【図４】図３に示す電池モジュールのIV−IV断面図である。
【図５】第１実施形態の電池パックが備える電池モジュールの拘束部材周辺の拡大断面図である。
【図６】本発明の第２実施形態に係る電池パックが備える電池モジュールの拘束部材周辺の拡大断面図である。
【図７】本発明の第３実施形態に係る電池パックが備える電池モジュールの拘束部材周辺の拡大断面図である。
【発明を実施するための形態】
【００１１】
以下、本発明に係る電池組立体の具体的な実施形態について、図面を参照しつつ説明する。
【００１２】
（第１実施形態）
本実施形態の電池パック１０は、車両などに搭載されるバッテリパックである。電池パック１０は、図１に示す如く、複数個の電池モジュール１２を備えており、例えば６個の電池モジュール１２を用いて構成される。各電池モジュール１２は、図２、図３、及び図４に示す如く、複数個の電池セル１４を備えている。各電池モジュール１２は、例えば１２個の電池セル１４を用いて構成される。このため、電池パック１０は、例えば７２（＝６×１２）個の電池セル１４を用いて構成される。電池パック１０及び電池モジュール１２は、電池組立体に相当する。尚、図４乃至図７においては、後述する電気配線、拘束部材、樹脂部材、及びバスバが、断面を示すハッチングで表されている。
【００１３】
各電池セル１４は、リチウムイオン二次電池などの単電池である。各電池セル１４は、箱型すなわち六面体である直方体形状に形成されており、金属製などの筐体からなる。各電池セル１４は、セル端子として、正極端子１６と、負極端子１８と、を有している。正極端子１６及び負極端子１８は、電池セル１４の有する六面のうちの一つの同じ面（以下、端子面と称す。）１４ａに設けられており、その端子面１４ａから一段飛び出るように載置されている。端子面１４ａは、薄肉方向に延びる２つの短辺を含む面である。正極端子１６及び負極端子１８は、端子面１４ａの長手方向中央部を挟んだ両側に配置されている。各電池セル１４はそれぞれ、所定電圧を出力することが可能である。
【００１４】
各電池モジュール１２において、電池セル１４は、端子面１４ａを上面とした状態で第１方向（具体的には、図１及び図２に示すＸ軸方向）に並んで複数配置されていると共に、第２方向（具体的には、上記第１方向に直交する図１及び図２に示すＹ軸方向）に並んで複数配置されている。電池セル１４は、端子面１４ａの法線が第３方向（具体的には、上記第１方向及び上記第２方向の双方に直交する図１及び図２に示すＺ軸方向）に向くように配置されている。第１方向すなわちＸ軸方向は、電池セル１４の端子面１４ａの２つの長辺と一辺が共通する２つの面が互いに向かい合う方向である。また、第２方向すなわちＹ軸方向は、第１方向すなわちＸ軸方向と直交する方向であって、電池セル１４の端子面１４ａの２つの短辺と一辺が共通する２つの面が互いに向かい合う方向である。
【００１５】
各電池モジュール１２は、Ｘ軸方向（行方向）に複数個（例えば４個）の電池セル１４が積層されかつＹ軸方向（列方向）に複数個（例えば３個）の電池セル１４が積層される構造を有している。電池モジュール１２は、Ｘ軸方向両端に取り付けられた一対のエンドプレート２０，２２を備えている。エンドプレート２０，２２は、金属製又は樹脂製の板状部材である。各電池モジュール１２において、Ｘ軸方向に積層された複数の電池セル１４は、一対のエンドプレート２０，２２により、Ｙ軸方向に隣接する電池セル１４との位置関係を保持しつつ、Ｘ軸方向の両端間で挟持されている。
【００１６】
各電池モジュール１２の電池セル１４同士は、並列に或いは直列に端子接続されている。例えば、各電池モジュール１２においては、Ｘ軸方向に隣接する２個の電池セル１４が並列に端子接続されていると共に、その並列接続された２個の電池セル１４が６組直列に端子接続されている。各電池モジュール１２の電池セル１４の端子接続は、互いにＸ軸方向又はＹ軸方向に隣接する電池セル１４同士で行われる。電池セル１４同士の端子接続は、板状のバスバ２４，２６，２８（尚、図１及び図２においてはバスバ２４，２６，２８の記載を省略した。）を用いて行われる。
【００１７】
Ｙ軸方向に隣接する電池セル１４同士は、正極端子１６と負極端子１８とがその順に並ぶ方向が互いに一致するように配置されている。Ｙ軸方向に隣接する電池セル１４同士は、互いに直列接続されており、一方の電池セル１４の正極端子１６と他方の電池セル１４の負極端子１８とが接続された構造を有している。電池セル１４は、端子面１４ａ上でＹ軸方向において正極端子１６と負極端子１８とがその順に並ぶ方向がＸ軸方向の所定積層数（例えば積層数＝２）ごとに逆方向となるように配置されている。この正極端子１６と負極端子１８とがその順に並ぶ方向が逆方向となる境界両側のＸ軸方向に隣接しかつＹ軸方向の両端に位置する電池セル１４同士は、互いに直列接続されている。
【００１８】
以下、電池モジュール１２は、図２及び図３に示す如く、Ｘ軸方向に４個（すなわち４行分）の電池セル１４が積層されかつＹ軸方向に３個（すなわち３列分）の電池セル１４が積層される構造を有しているものとし、かつ、Ｘ軸方向に互いに隣接する２個の電池セル１４が並列に端子接続されると共に、その並列接続されている２個の電池セル１４が６組直列に端子接続されるものとする。そして、Ｘ軸方向に積層される４行の電池セル１４を、図３に示す如く、Ｘ軸方向一方側から順に、電池セル１４−１，１４−２，１４−３，１４−４とする。
【００１９】
かかる電池モジュール１２において、並列に端子接続されかつＸ軸方向に互いに隣接する２行分の電池セル１４−１，１４−２は、Ｙ軸方向において正極端子１６と負極端子１８とがその順に並ぶ方向が互いに同方向となるように配置されると共に、残りの並列に端子接続されかつＸ軸方向に互いに隣接する２行分の電池セル１４−３，１４−４は、Ｙ軸方向において正極端子１６と負極端子１８とがその順に並ぶ方向が、互いに同方向となるように配置されつつ、上記した２行分の電池セル１４−１，１４−２のＹ軸方向において正極端子１６と負極端子１８とがその順に並ぶ方向とは逆方向となるように配置される。
【００２０】
この電池モジュール１２において、電池セル１４−１，１４−２のうち同列（すなわち異行）のもの同士は、正極端子１６がバスバ２４，２６を介して互いに接続されかつ負極端子１８がバスバ２６，２８を介して互いに接続されていると共に、Ｙ軸方向に隣接する同行（すなわち異列）のもの同士は、一方側の負極端子１８と他方側の正極端子１６とがバスバ２６を介して互いに接続されている。Ｙ軸方向一端に位置する電池セル１４−１，１４−２の負極端子１８と、同じＹ軸方向一端に位置する電池セル１４−３，１４−４の正極端子１６と、はバスバ２８を介して互いに直列接続されている。電池セル１４−３，１４−４のうち同列（すなわち異行）のもの同士は、正極端子１６がバスバ２６，２８を介して互いに接続されかつ負極端子１８がバスバ２４，２６を介して互いに接続されていると共に、Ｙ軸方向に隣接する同行（すなわち異列）のもの同士は、一方側の負極端子１８と他方側の正極端子１６とがバスバ２６を介して互いに接続されている。
【００２１】
Ｙ軸方向他端に位置する電池セル１４−１，１４−２の正極端子１６は、電池パック１０の出力端子として外部接続され、或いは、Ｘ軸方向に隣接する電池モジュール１２のＹ軸方向他端に位置する電池セル１４−３，１４−４の負極端子１８にバスバ２４を介して接続されている。また、Ｙ軸方向他端に位置する電池セル１４−３，１４−４の負極端子１８は、電池パック１０の出力端子として外部接続され、或いは、Ｘ軸方向に隣接する電池モジュール１２のＹ軸方向他端に位置する電池セル１４−１，１４−２の正極端子１６にバスバ２４を介して接続されている。
【００２２】
電池パック１０において、電池モジュール１２は、第１方向（具体的には、電池セル１４が並ぶＸ軸方向）に並んで複数配置されている。電池パック１０は、Ｘ軸方向に例えば６個の電池モジュール１２が積層される構造を有している。電池パック１０は、Ｘ軸方向両端に取り付けられた一対の一括エンドプレート３０，３２を備えている。一括エンドプレート３０，３２は、金属製又は樹脂製の板状部材である。電池パック１０において、Ｘ軸方向に積層された複数の電池モジュール１２は、一括エンドプレート３０，３２により挟持されている。
【００２３】
電池パック１０の電池モジュール１２同士は、並列に或いは直列に端子接続されている。電池パック１０においては、例えば、すべての電池モジュール１２が直列に端子接続されている。電池モジュール１２の端子接続は、互いにＸ軸方向に隣接する電池モジュール１２同士で行われる。電池モジュール１２同士の端子接続は、板状のバスバ２４を用いて行われる。以下、電池パック１０は、Ｘ軸方向に６個の電池モジュール１２が積層されるものとし、すべて直列接続されているものとする。
【００２４】
尚、一電池パック１０当たりの電池モジュール１２の個数、及びＸ軸方向への積層数、並びに、一電池モジュール１２当たりの電池セル１４の個数、各方向への積層有無、及びその積層数は、上記したものに限定されるものではなく、様々なものを適用することが可能である。
【００２５】
電池パック１０は、拘束部材３４を備えている。拘束部材３４は、Ｘ軸方向へ直線状に延在していると共に、Ｙ軸方向に積層される電池セル１４の数に対応してＹ軸方向に並んで平行に３本設けられている。拘束部材３４は、電池パック１０のＸ軸方向両端に取り付けられる一対の一括エンドプレート３０，３２に連結固定されており、その一対の一括エンドプレート３０，３２を繋いで拘束する役割を有している。拘束部材３４は、一対の一括エンドプレート３０，３２を繋いで拘束した場合、同時に各電池モジュール１２のＸ軸方向両端に取り付けられる一対のエンドプレート２０，２２を拘束する。拘束部材３４は、電池セル１４の異常時に発生するガスを外部へ排出するための排煙ダクト３６を構成している。
【００２６】
電池パック１０を構成するすべての電池セル１４はそれぞれ、排煙弁３８を有している。排煙弁３８は、電池セル１４の異常時に発生する電池セル１４内部のガスを電池セル１４外部へ放出するための圧力開放弁である。排煙弁３８は、端子面１４ａ側において電池セル１４の内部と外部とを繋ぐように設けられており、例えば円形孔が薄膜により覆われて閉じられた構造を有している。電池セル１４の異常時に内部で発生したガスは、所定圧に達した場合に円形孔を通って排煙弁３８の薄膜を突き破り電池セル１４の外部へ放出される。
【００２７】
排煙弁３８は、端子面１４ａにおいて正極端子１６と負極端子１８との間の長手方向（すなわちＹ軸方向）中央部に配置されている。拘束部材３４すなわち排煙ダクト３６は、電池セル１４ひいては電池モジュール１２に隣接して配置されている。排煙ダクト３６は、電池モジュール１２のＺ軸方向の上面すなわち電池セル１４の端子面１４ａに沿って配置されており、電池モジュール１２の各電池セル１４の端子面１４ａ上に載置され密接されている。
【００２８】
排煙ダクト３６は、電池セル１４の端子面１４ａの長手方向中央部における排煙弁３８を覆いつつその排煙弁３８の直上にＹ軸方向同じ列のＸ軸方向に積層されている各電池セル１４の排煙弁３８を直線的に繋ぐように配置され形成されている。排煙ダクト３６は、Ｘ軸方向へ直線状に延在しており、Ｘ軸方向に並んだすべての電池セル１４（尚、同じ電池モジュール１２の電池セル１４に限ることなく、異なる電池モジュール１２の電池セル１４も含む。）に亘って延在するのに十分な長さを有している。
【００２９】
排煙ダクト３６は、Ｙ軸方向に並んで複数設けられており、互いに平行にＸ軸方向へ延在している。排煙ダクト３６は、Ｙ軸方向に並んだ同列の電池セル１４ごとに一つずつ設けられている。Ｘ軸方向へ延在する排煙ダクト３６は、一電池パック１０当たり合計３本設けられている。電池パック１０のすべての電池セル１４の排煙弁３８は、何れかの排煙ダクト３６の直下に配置されている。
【００３０】
排煙ダクト３６は、各電池セル１４の排煙弁３８から放出されたガスを流通させて外部へ排出するための通路である。排煙ダクト３６は、表面が電気的絶縁処理された構造物であり或いは電気的絶縁体である。排煙ダクト３６は、断面逆Ｕ字状又は断面コの字状の部材であって、開口部４０を有している。開口部４０は、排煙ダクト３６の上壁とＺ軸方向下方側で対向する開放部分であって、各電池セル１４の排煙弁３８から放出されたガスを排煙ダクト３６の本体部へ導くための孔である。排煙ダクト３６の長手方向（すなわちＸ軸方向）一端は、閉じられている。尚、Ｙ軸方向に並んだ排煙ダクト３６同士は、長手方向他端側である出口側で例えば一つに纏められていてもよい。
【００３１】
各電池セル１４の表面には、電気的絶縁体である樹脂部材４２が配置されている。樹脂部材４２は、電池セル１４の、拘束部材３４ひいては排煙ダクト３６が載置される端子面１４ａの表面上に配置される樹脂ケースである。樹脂部材４２は、電池セル１４の端子面１４ａの略全域に亘って広がっており、電池セル１４の端子面１４ａ上の正極端子１６、負極端子１８、及び排煙ダクト３６の各配置部分を除いた薄板シート状に形成されている。樹脂部材４２は、電池セル１４の表面を保護する機能を有していると共に、セル端子１６，１８及びバスバ２４，２６，２８の位置を保持する機能を有している。尚、樹脂部材４２は、電池パック１０全体に対して一体的に又は電池モジュール１２ごとに一体的に形成されていてもよい。また、樹脂部材４２は、金属製のエンドプレート２０，２２や一括エンドプレート３０，３２の上面上に配置されていてもよい。
【００３２】
電池パック１０は、電池セル１４の電圧を監視する電圧監視ユニット４４を備えている。電圧監視ユニット４４は、電池モジュール１２ごとに対応して設けられている。尚、電圧監視ユニット４４は、二以上の電池モジュール１２に対して一つ設けられていてもよい。各電圧監視ユニット４４は、マイクロコンピュータを主体に構成されており、その構成部品を直方体形状に形成された筐体４６により囲んだユニットである。各電圧監視ユニット４４は、対応の電池モジュール１２の長手方向（すなわちＹ軸方向）一方の側面側に固定されている。各電圧監視ユニット４４は、電池モジュール１２の長手方向一方端の電池セル１４の負極端子１８又は正極端子１６を除いて、当該電池セル１４の正極端子１６又は負極端子１８並びに他の電池セル１４の正極端子１６及び負極端子１８の配置位置に対して拘束部材３４を挟んで交差する位置に配置されている。
【００３３】
電圧監視ユニット４４と電池セル１４のセル端子１６，１８との間には、電気配線５０（尚、図１及び図２においては電気配線５０の記載を省略した。）が介在している。電気配線５０は、電圧監視ユニット４４と電池セル１４のセル端子１６，１８とを導通させる配線である。電気配線５０は、図３に示す如く、バスバ２４，２６，２８ごとに対応して一本ずつ設けられている。バスバ２４，２６，２８それぞれに接続する電気配線５０は、互いに接触することのないように配策されている。尚、電気配線５０は、電池セル１４ごとに正極端子１６と負極端子１８とに対応して二本ずつ設けられてもよいし、バスバ２４，２６，２８を介して端子接続された正極端子１６ごとかつ負極端子１８ごとに設けられてもよい。
【００３４】
各電気配線５０の一端は対応のバスバ２４，２６，２８に接続されていると共に、その他端は電圧監視ユニット４４に接続されている。電圧監視ユニット４４には、各電気配線５０それぞれに生じている電位が入力される。電圧監視ユニット４４は、各電気配線５０それぞれからの入力電位に基づいて、電池セル１４ごとに正極端子１６と負極端子１８との間の電圧を検出して、その電圧の正常／異常を判定する監視を行う。
【００３５】
各電気配線５０（具体的には、電圧監視ユニット４４と電池モジュール１２の長手方向一方端の電池セル１４の負極端子１８又は正極端子１６とを導通させる電気配線５０のうち拘束部材３４に対して交差せず拘束部材３４を跨がない電気配線５０（以下、交差無電気配線５０−２と称す。）を除く。以下、交差有電気配線５０−１と称す。）は、拘束部材３４の表面に配策される部分を有する。すなわち、交差有電気配線５０−１の一部は、拘束部材３４の表面に配策されている。この交差有電気配線５０−１の、拘束部材３４の表面における配策は、その交差有電気配線５０−１が拘束部材３４に対して交差して跨ぐように行われる。尚、交差無電気配線５０−２は、拘束部材３４に対して交差することなくその拘束部材３４を跨がないように配策されている。
【００３６】
図４及び図５に示す如く、交差有電気配線５０−１は、樹脂部材４２の表面に配策されている第１配線部５２と、拘束部材３４の表面に配策されている第２配線部５４と、を有している。交差有電気配線５０−１の一本当たり、第１配線部５２は２本以上設けられ、第２配線部５４は１本以上設けられている。尚、エンドプレート２０，２２又は一括エンドプレート３０，３２が樹脂製のものであるときは、交差有電気配線５０−１は、第１及び第２配線部５２，５４以外に、そのエンドプレート２０，２２又は一括エンドプレート３０，３２の表面に配策される部分を有していてもよい。また、交差無電気配線５０−２は、樹脂部材４２の表面に配策されている第１配線部５２からなる。
【００３７】
第１配線部５２は、樹脂部材４２の表面にプリントされたプリント配線である。第１配線部５２は、樹脂部材４２の表面に対して上方側に隣接している。第１配線部５２は、バスバ２４，２６，２８、電圧監視ユニット４４、及び第２配線部５２のうち何れか二つに接続されている。一端がバスバ２４，２６，２８に接続されている第１配線部５２は、そのバスバ２４，２６，２８から電池モジュール１２のＸ軸方向端部に向けて延びつつ、そのＸ軸方向端部への到達後にそのＸ軸方向端部においてＹ軸方向に沿って延びている。一端が電圧監視ユニット４４に接続されている第１配線部５２は、その電圧監視ユニット４４から電池モジュール１２のＸ軸方向端部に向けて延びつつ、そのＸ軸方向端部への到達後にそのＸ軸方向端部においてＹ軸方向に沿って延びている。また、両端ともバスバ２４，２６，２８及び電圧監視ユニット４４に接続されていない第１配線部５２は、電池モジュール１２のＸ軸方向端部においてそのＸ軸方向端部に沿ってＹ軸方向に向けて延びている。
【００３８】
第２配線部５４は、拘束部材３４の表面にプリントされたプリント配線である。第２配線部５４は、拘束部材３４の上面に対して上方側に隣接していると共に、拘束部材３４の側面に対して隣接している。拘束部材３４は、Ｙ軸方向両側においてＹ軸方向外側に向けて突出するフランジ部５６を有している。第２配線部５４は、フランジ部５６の表面全体を取り囲むように形成されている。第２配線部５４は両端とも、第１配線部５２に接続されている。第２配線部５４は、電池モジュール１２のＸ軸方向端部においてそのＸ軸方向端部に沿ってＹ軸方向に向けて延びている。
【００３９】
第１配線部５２と第２配線部５４とは、一体的に構成されたものでなく、互いに分離されている。第１配線部５２の、フランジ部５６に対向する上面側には、端子部６０が設けられている。第２配線部５４の、フランジ部５６の下面に接する側には、端子部６２が設けられている。端子部６０と端子部６２とは、拘束部材３４のフランジ部５６と樹脂部材４２との間に挟持されるように配置されている。第１配線部５２の端子部６０と第２配線部５４の端子部６２とは、Ｚ軸方向において対向配置されつつ互いに接触して電気的に接続されている。端子部６０と端子部６２との電気的接続は、Ｚ軸方向に所定厚さを有する端子部材６４を介して行われる。すなわち、第１配線部５２と第２配線部５４とは、端子部６０，６２にて端子部材６４を介して電気的に接続されている。尚、端子部材６４は、端子部６０，６２に対応するように２分割されてそれぞれに固定されたものであってもよい。
【００４０】
尚、Ｙ軸方向に積層される３列分の電池セル１４のうち電圧監視ユニット４４から最も離れた位置にある電池セル１４（以下、最遠電池セル１４Ｆと称す。）の正極端子１６又は負極端子１８に接続する交差有電気配線５０−１は、４本の第１配線部５２と、３本の第２配線部５４と、を有し、Ｙ軸方向に並んだＸ軸方向に平行に延びる３本の拘束部材３４を跨いでいる。上記した最遠電池セル１４Ｆの負極端子１８又は正極端子１６に接続し、かつ、Ｙ軸方向に積層される３列分の電池セル１４のうち真中位置にある電池セル１４（以下、中央電池セル１４Ｍと称す。）の正極端子１６又は負極端子１８に接続する交差有電気配線５０−１は、３本の第１配線部５２と、２本の第２配線部５４と、を有し、Ｙ軸方向に並んだＸ軸方向に平行に延びる２本の拘束部材３４を跨いでいる。
【００４１】
上記した中央電池セル１４Ｍの負極端子１８又は正極端子１６に接続し、かつ、Ｙ軸方向に積層される３列分の電池セル１４のうち電圧監視ユニット４４に最も近い位置にある電池セル１４（以下、最近電池セル１４Ｎと称す。）の正極端子１６又は負極端子１８に接続する交差有電気配線５０−１は、２本の第１配線部５２と、１本の第２配線部５４と、を有し、Ｙ軸方向に並んだＸ軸方向に平行に延びる１本の拘束部材３４を跨いでいる。また、最近電池セル１４Ｎの負極端子１８又は正極端子１６に接続する交差無電気配線５０−２は、１本の第１配線部５２を有するが、拘束部材３４を１本も跨いでいない。
【００４２】
このような電池パック１０及び電池モジュール１２の構造においては、電圧監視ユニット４４と電池セル１４のセル端子１６，１８とを導通させる電気配線５０（具体的には、電圧監視ユニット４４と最近電池セル１４Ｎのセル端子１６，１８の一方とを導通させかつ拘束部材３４と交差しない第１配線部５２のみからなる交差無電気配線５０−２を除いた交差有電気配線５０−１）が、電池セル１４の端子面１４ａ上に配置された樹脂部材４２の表面に沿って配策されていると共に、拘束部材３４の表面にその拘束部材３４に対して交差して跨ぐように配策されている。
【００４３】
かかる構造によれば、電圧監視ユニット４４と電池セル１４の有するセル端子１６，１８との導通を確保するために、各電気配線５０の配策を、拘束部材３４と交差させずＸ軸方向に延在させて遠回りさせることは不要である。従って、本実施形態の電池パック１０及び電池モジュール１２の電池組立体によれば、電圧監視ユニット４４と電池セル１４の有するセル端子１６，１８とを導通させる電気配線５０の配策を短距離で実現することができる。
【００４４】
また、交差有電気配線５０−１は、樹脂部材４２の表面に配策されている第１配線部５２と、拘束部材３４の表面に配策されている第２配線部５４と、を有し、第１及び第２配線部５２，５４はそれぞれ、プリント配線である。そして、これらの第１配線部５２と第２配線部５４とは、端子部６０，６２にてＺ軸方向において対向配置されつつ互いに接触して電気的に接続されている。このため、上記電池組立体の電気配線５０の取り回しの容易化を図り或いはその取り回しを不要とすることができ、電池組立体の取り扱いの容易化を図ることができる。また、第１及び第２配線部５２，５４がプリント配線であるので、電気配線５０の高さ（具体的には、Ｚ軸方向高さ）を低く抑えることができ、電池モジュール１２や電池パック１０の高さを低減することができる。
【００４５】
また、電気配線５０の第１配線部５２及び第２配線部５４は、電池モジュール１２ごとに、その電池モジュール１２のＸ軸方向端部においてＹ軸方向に沿って延びている。このため、各電池モジュール１２においてそれぞれ電圧監視ユニット４４と電池セル１４のセル端子１６，１８とを導通させる電気配線５０を配策した後に、その電池モジュール１２を複数個、Ｘ軸方向に積層して、互いにＹ軸方向に隣接する電池モジュール１２同士をバスバ２４を用いて端子接続させて、電池パック１０を組み立てることができるので、電池モジュール１２の取り扱いの容易化を図ることができる。
【００４６】
更に、表面に第２配線部５４が配策される拘束部材３４は、電池セル１４の異常時に発生するガスを外部へ排出するための排煙ダクト３６である。このため、拘束部材３４を排煙ダクト３６とは別体で設けるものと比較して、電池パック１０及び電池モジュール１２の構造の簡素化を図ることができる。
【００４７】
以上、説明したことから明らかなように、電池パック１０及び電池モジュール１２は、Ｘ軸方向に積層された複数の電池セル１４と、Ｘ軸方向両端の電池セル１４に隣接して配置され、複数の電池セル１４を挟持する一対のエンドプレート２０，２２又は一括エンドプレート３０，３２と、Ｘ軸方向に延在し、一対のエンドプレート２０，２２又は一括エンドプレート３０，３２を拘束する拘束部材３４と、電池セル１４の有するセル端子１６，１８のうち少なくとも一方の所定端子の配置位置に対して拘束部材３４を挟んで交差する位置に配置され、電池セル１４の電圧を監視する電圧監視ユニット４４と、電圧監視ユニット４４と上記一方の所定端子とを導通させる交差有電気配線５０−１と、を備える電池組立体であって、交差有電気配線５０−１の一部は、拘束部材３４の表面に拘束部材３４に対して交差するように配策されている。
【００４８】
この構成によれば、電圧監視ユニット４４とセル端子１６，１８のうち少なくとも一方の所定端子とを導通させる交差有電気配線５０−１の一部が、拘束部材３４の表面に拘束部材３４に対して交差するように配策されるので、電圧監視ユニット４４と電池セル１４の有するセル端子１６，１８との導通を確保するために、各電気配線５０の配策を、拘束部材３４と交差させずにＸ軸方向に延在させて遠回りさせることは不要である。従って、電圧監視ユニット４４と電池セル１４の有するセル端子１６，１８とを導通させる電気配線５０の配策を短距離で実現することができる。
【００４９】
電池パック１０及び電池モジュール１２は、電池セル１４の拘束部材３４側の表面上に配置される樹脂部材４２を備え、電気配線５０は、樹脂部材４２の表面に配策され、端子部６０を有する第１配線部５２と、第１配線部５２とは別体で拘束部材３４の表面に配策され、端子部６２を有する第２配線部５４と、を有し、第１配線部５２の端子部６０と第２配線部５４の端子部６２とは、対向配置されつつ互いに電気的に接続されている。
【００５０】
この構成によれば、電気配線５０の第１配線部５２と第２配線部５４との電気的な接続を確保することができ、電圧監視ユニット４４と電池セル１４の有するセル端子１６，１８との導通を確保することができる。
【００５１】
電池パック１０及び電池モジュール１２において、電気配線５０の第１配線部５２及び第２配線部５４は共に、プリント配線である。この構成によれば、電池パック１０及び電池モジュール１２における電気配線５０の取り回しの容易化を図り或いはその取り回しを不要とすることができ、電池パック１０及び電池モジュール１２の取り扱いの容易化を図ることができる。また、電気配線５０の高さを低く抑えることができ、電池モジュール１２や電池パック１０の高さを低減することができる。
【００５２】
電池パック１０及び電池モジュール１２において、拘束部材３４は、電池セル１４で発生するガスを排出するための通路である排煙ダクト３６を構成している。この構成によれば、拘束部材３４を排煙ダクト３６とは別体で設けるものと比較して、電池パック１０及び電池モジュール１２の構造の簡素化を図ることができる。
【００５３】
電池パック１０及び電池モジュール１２は、Ｘ軸方向に積層されると共に、Ｘ軸方向に直交するＹ軸方向に積層された複数の電池セル１４と、Ｘ軸方向両端の電池セル１４に隣接して配置され、Ｙ軸方向に積層される電池セル１４同士の位置関係を保持しつつ、Ｘ軸方向に積層される電池セル１４を挟持する一対のエンドプレート２０，２２又は一括エンドプレート３０，３２と、Ｙ軸方向に積層される電池セル１４の数に対応して複数設けられ、Ｘ軸方向に延在し、一対のエンドプレート２０，２２又は一括エンドプレート３０，３２を拘束する拘束部材３４と、電池セル１４の有するセル端子１６，１８のうち少なくとも一方の所定端子の配置位置に対して何れか一つ以上の拘束部材３４を挟んで交差する位置に配置され、電池セル１４の電圧を監視する電圧監視ユニット４４と、電圧監視ユニット４４と上記一方の所定端子とを導通させる交差有電気配線５０−１と、を備える電池組立体であって、交差有電気配線５０−１の一部は、拘束部材３４の表面に拘束部材３４に対して交差するように配策されている。
【００５４】
この構成によれば、電圧監視ユニット４４とセル端子１６，１８のうち少なくとも一方の所定端子とを導通させる交差有電気配線５０−１の一部が、何れか一つ以上の拘束部材３４の表面にその拘束部材３４に対して交差するように配策されるので、電圧監視ユニット４４と電池セル１４の有するセル端子１６，１８との導通を確保するために、各電気配線５０の配策を、拘束部材３４と交差させずにＸ軸方向に延在させて遠回りさせることは不要である。従って、電圧監視ユニット４４と電池セル１４の有するセル端子１６，１８とを導通させる電気配線５０の配策を短距離で実現することができる。
【００５５】
尚、上記の第１実施形態においては、最近電池セル１４Ｎの有する正極端子１６及び負極端子１８のうち電圧監視ユニット４４に対して交差有電気配線５０−１を介して接続される端子、並びに、中央電池セル１４Ｍ及び最遠電池セル１４Ｆの有する正極端子１６及び負極端子１８が、特許請求の範囲に記載した「所定端子」に相当している。
【００５６】
（第２実施形態）
本実施形態の電池パック１００は、上記第１実施形態の電池パック１０において、電池モジュール１２に代えて電池モジュール１０２を用いることにより実現される。尚、図６において、上記第１実施形態において用いた図に示す構成部分と同一の部分については、同一の符号を付してその説明を省略又は簡略する。
【００５７】
電池モジュール１０２において、電池モジュール１２と同様に、電圧監視ユニット４４と各電池セル１４の正極端子１６又は負極端子１８とを導通させる電気配線５０（但し、交差無電気配線５０−２を除く。以下、交差有電気配線５０−１と称す。）は、樹脂部材４２の表面に配策されている第１配線部５２と、拘束部材３４の表面に配策されている第２配線部５４と、を有している。第１及び第２配線部５２，５４は共に、プリント配線である。第１配線部５２の端子部６０と第２配線部５４の端子部６２とは、Ｚ軸方向において対向配置されつつ互いに接触して電気的に接続されている。
【００５８】
電池モジュール１０２ひいては電池パック１００は、端子部６０と端子部６２との間に介在する圧接ばね１０４を有している。圧接ばね１０４は、Ｚ軸方向に弾性を有する弾性部材であって、かつ、導電性を有する金属部材である。圧接ばね１０４は、例えば、断面楕円状や断面菱形形状，蛇腹状に形成されたものであってよい。圧接ばね１０４は、拘束部材３４の延在方向であるＸ軸方向全域に亘って直線状に延びており、或いは、そのＸ軸方向全域に亘って複数箇所に点在している。圧接ばね１０４は、端子部６０と端子部６２との間に介在する状態において、樹脂部材４２と拘束部材３４のフランジ部５６との間に挟持され、自然長よりも収縮するように構成されている。端子部６０と端子部６２との電気的接続は、圧接ばね１０４を介して行われる。
【００５９】
電池モジュール１０２ひいては電池パック１００は、また、圧接ばね１０４を収縮させつつ第１配線部５２と第２配線部５４との位置関係を保持する保持部材１０６を有している。保持部材１０６は、樹脂部材４２に一体的に形成されており、断面Ｌ字状に形成されている。保持部材１０６は、拘束部材３４の延在方向であるＸ軸方向全域に亘って複数箇所に点在しており、或いは、そのＸ軸方向全域に亘って直線状に延びている。
【００６０】
保持部材１０６は、拘束部材３４のフランジ部５６の上面（具体的には、そのフランジ部５６の上面に配策される第２配線部５４の上面）に接してそのフランジ部５６を上方から押さえる支持端面１０８を有している。保持部材１０６の、樹脂部材４２との接続部から支持端面１０８までの長さは、予め定められた長さに設定されている。保持部材１０６は、樹脂部材４２と拘束部材３４のフランジ部５６との間において圧接ばね１０４を自然長よりも収縮させつつ第１配線部５２の端子部６０と第２配線部５４の端子部６２とを挟持する機能を有している。
【００６１】
上記の保持部材１０６による挟持が行われると、圧接ばね１０４のバネ力により、第１配線部５２の端子部６０が樹脂部材４２側へ押圧されると共に、第２配線部５４の端子部６２が拘束部材３４のフランジ部５６側へ押圧されることで、第１配線部５２と第２配線部５４とが圧接ばね１０４を介して大きな力で接触する。
【００６２】
このような電池パック１００及び電池モジュール１０２の構造においても、電圧監視ユニット４４と電池セル１４のセル端子１６，１８とを導通させる電気配線５０（具体的には、交差無電気配線５０−２を除いた交差有電気配線５０−１）の一部が、拘束部材３４の表面にその拘束部材３４に対して交差して跨ぐように配策されている。従って、電圧監視ユニット４４と電池セル１４の有するセル端子１６，１８との導通を確保するために、各電気配線５０の配策を、拘束部材３４と交差させずにＸ軸方向に延在させて遠回りさせることは不要であるので、その電気配線５０の配策を短距離で実現することができる。
【００６３】
また、電池パック１００及び電池モジュール１０２の構造は、電気配線５０の第１配線部５２と第２配線部５４とが電気的に接続される箇所を除いて、上記第１実施形態の電池パック１０及び電池モジュール１２の構造と同じである。このため、上記第１実施形態で示した効果と同様の効果を得ることができる。例えば、第１配線部５２及び第２配線部５４が共にプリント配線であるので、電気配線５０の取り回しの容易化を図り或いはその取り回しを不要とすることができ、電池パック１００及び電池モジュール１０２の取り扱いの容易化を図ることができると共に、電気配線５０の高さを低く抑えて、電池モジュール１０２や電池パック１００の高さを低減することができる。また、拘束部材３４が排煙ダクト３６を構成しているので、電池パック１００及び電池モジュール１０２の構造の簡素化を図ることができる。
【００６４】
更に、電池パック１００及び電池モジュール１０２は、電気配線５０の第１配線部５２の端子部６０と第２配線部５４の端子部６２との間に介在する圧接ばね１０４と、その圧接ばね１０４を収縮させて第１配線部５２と第２配線部５４との位置関係を保持する保持部材１０６と、を備えている。かかる構造においては、保持部材１０６が圧接ばね１０４を収縮させつつ第１配線部５２の端子部６０と第２配線部５４の端子部６２とを挟持するので、両端子部６０，６２の電気的接続の切断を回避することができ、その電気的な接続を確実に確保することができ、電圧監視ユニット４４と電池セル１４の有するセル端子１６，１８との導通を確実に確保することができる。また、圧接ばね１０４により、拘束部材３４におけるフランジ部５６の配置位置の公差や第１配線部５２の端子部６０と第２配線部５４の端子部６２との間の公差を吸収することができ、これにより、歩留りを向上させることができる。
【００６５】
尚、上記の第１実施形態においては、拘束部材３４すなわち排煙ダクト３６が、電池モジュール１２の各電池セル１４の端子面１４ａ上に載置され密接されている。しかし、この第２実施形態においては、図６に示す如く、拘束部材３４すなわち排煙ダクト３６と電池セル１４の端子面１４ａとの間に、シール性を確保するための樹脂製などのシール部材１１０を配置することとしてもよい。このシール部材１１０は、二股の拘束部材３４の先端それぞれに対応して設けられており、拘束部材３４の延在方向全域に亘ってＸ軸方向へ延在している。かかる構造によれば、シール部材１１０により、拘束部材３４と電池セル１４との間の公差を吸収することができ、これにより、歩留りを向上させることができると共に、排煙ダクト３６の内部の気密性を確保することができ、これにより、排煙ダクト３６と電池セル１４との間の隙間からガスが漏洩するのを防止することができる。
【００６６】
（第３実施形態）
本実施形態の電池パック２００は、上記第１実施形態の電池パック１０において、電池モジュール１２に代えて電池モジュール２０２を用いることにより実現される。尚、図７において、上記第１実施形態において用いた図に示す構成部分と同一の部分については、同一の符号を付してその説明を省略又は簡略する。
【００６７】
電池モジュール２０２において、電圧監視ユニット４４と電池セル１４のセル端子１６，１８との間には、電気配線２０４が介在している。電気配線２０４は、電圧監視ユニット４４と各電池セル１４の正極端子１６又は負極端子１８とを導通させる配線である。電気配線２０４は、バスバ２４，２６，２８ごとに対応して一本ずつ設けられている。各電気配線２０４（具体的には、電圧監視ユニット４４と電池モジュール１２の長手方向一方端の電池セル１４の負極端子１８又は正極端子１６とを導通させる電気配線２０４のうち拘束部材３４に対して交差せず拘束部材３４を跨がない交差無電気配線２０４−２を除いた、交差有電気配線２０４−１）は、拘束部材３４の表面に配策される部分を有する。
【００６８】
交差有電気配線２０４−１は、樹脂部材４２の表面に配策されている第１配線部５２と、拘束部材３４の表面にその拘束部材３４に対して交差するように配策されている第２配線部２０６と、を有している。第１配線部５２はプリント配線であるが、第２配線部２０６は、導電性を有する板状のバスバ部材である。第２配線部２０６は、拘束部材３４の形状に合わせて屈曲して延びるように形成されている。
【００６９】
第２配線部２０６の端部には、端子部２０８が設けられている。第１配線部５２の端子部６０と第２配線部２０６の端子部２０８とは、Ｚ軸方向において対向配置されつつ互いに接触して電気的に接続されている。端子部６０と端子部２０８との電気的接続は、Ｚ軸方向に所定厚さを有する端子部材２１０を介して行われる。すなわち、第１配線部５２と第２配線部２０６とは、端子部６０，２０８にて端子部材２１０を介して電気的に接続されている。尚、端子部材２１０は、端子部６０，２０８に対応するように２分割されてそれぞれに固定されたものであってもよい。
【００７０】
第２配線部２０６の端子部２０８、端子部材２１０、第１配線部５２の端子部６０、及び樹脂部材４２には、雄ねじ２１２が挿通される挿通孔（図示せず）が設けられている。また、電池セル１４の端子面１４ａには、雄ねじ２１２が締結される雌ねじが内壁に形成されたねじ孔（図示せず）が設けられている。雄ネジ２１２は、第２配線部２０６の端子部２０８、端子部材２１０、第１配線部５２の端子部６０、及び樹脂部材４２の各挿通孔に挿通された状態で、電池セル１４のねじ孔の雌ねじに締結される。かかる締結が行われると、第１配線部５２の端子部６０と第２配線部２０６の端子部２０８とが端子部材２１０を介して位置固定される。
【００７１】
このような電池パック２００及び電池モジュール２０２の構造においては、電圧監視ユニット４４と電池セル１４のセル端子１６，１８とを導通させる電気配線２０４（具体的には、交差無電気配線２０４−２を除いた交差有電気配線２０４−１。）の一部が、拘束部材３４の表面にその拘束部材３４に対して交差して跨ぐように配策されている。従って、電圧監視ユニット４４と電池セル１４の有するセル端子１６，１８との導通を確保するために、各電気配線２０４の配策を、拘束部材３４と交差させずにＸ軸方向に延在させて遠回りさせることは不要であるので、その電気配線２０４の配策を短距離で実現することができる。
【００７２】
また、電池パック２００及び電池モジュール２０２の構造は、電気配線２０４の第２配線部２０６の構造及び第１配線部５２と第２配線部２０６とが電気的に接続される箇所を除いて、上記第１実施形態の電池パック１０及び電池モジュール１２の構造と同じである。このため、上記第１実施形態で示した効果と同様の効果を得ることができる。例えば、拘束部材３４が排煙ダクト３６を構成しているので、電池パック２００及び電池モジュール２０２の構造の簡素化を図ることができる。
【００７３】
また、電池パック２００及び電池モジュール２０２において、拘束部材３４の表面に配策されている第２配線部２０６は、導電性を有する板状のバスバ部材である。第１配線部５２の端子部６０と第２配線部２０６の端子部２０８とは、雄ねじ２１２が電池セル１４の雌ネジに締結されることで端子部材２１０を介して位置固定される。雄ねじ２１２の締結が行われると、第２配線部２０６の端子部２０８が第１配線部５２の端子部６０に接近する方向へ移動するので、その第２配線部２０６全体が拘束部材３４すなわち排煙ダクト３６を電池セル１４側へ押圧する力が発生する。すなわち、第２配線部２０６は、第１配線部５２に対して位置固定された状態で拘束部材３４を電池セル１４側へ押圧する機能を有する。
【００７４】
このため、かかる構造によれば、第２配線部２０６で排煙ダクト３６を電池セル１４側に密着させることができ、これにより、排煙ダクト３６の内部の気密性を向上させることができ、排煙ダクト３６と電池セル１４との間の隙間からガスが漏洩するのを防止し或いはその漏洩量を低減することができる。
【００７５】
ところで、上記の第１−第３実施形態においては、各電池モジュール１２，１０２，２０２の各電池セル１４が、端子面１４ａを上面とした状態で配置されており、拘束部材３４すなわち排煙ダクト３６がその端子面１４ａに接触するように配置されている。しかし、本発明はこれに限定されるものではなく、各電池セル１４が、端子面１４ａを下面とした状態で配置されるものとし、拘束部材３４すなわち排煙ダクト３６がその端子面１４ａに接触するように配置されるものとしてもよい。また、各電池セル１４が、端子面１４ａを側面とした状態で配置されるものとし、拘束部材３４すなわち排煙ダクト３６がその端子面１４ａに接触するように配置されるものとしてもよい。
【００７６】
また、上記の第１−第３実施形態においては、各電池セル１４の排煙弁３８が端子面１４ａの正極端子１６と負極端子１８との間の長手方向中央部に配置されると共に、拘束部材３４すなわち排煙ダクト３６が電池セル１４の端子面１４ａの長手方向中央部においてＸ軸方向へ直線状に延在している。しかし、本発明はこれに限定されるものではなく、各電池セル１４の排煙弁３８が端子面１４ａの長手方向何れか側に偏った位置に配置されると共に、拘束部材３４すなわち排煙ダクト３６が電池セル１４の端子面１４ａのその偏った位置においてＸ軸方向へ直線状に延在することとしてもよい。
【００７７】
また、上記の第１−第３実施形態においては、各電池モジュール１２，１０２，２０２の電池セル１４がＸ軸方向に複数積層されると共に、更にそのＸ軸方向に直交するＹ軸方向にも複数積層されるものとした。しかし、本発明はこれに限定されるものではなく、各電池モジュール１２，１０２，２０２の電池セル１４がＸ軸方向にのみ複数積層されるものとしてもよい。
【００７８】
また、上記の第１−第３実施形態においては、Ｘ軸方向に積層された複数の電池セル１４からなる各電池モジュール１２，１０２，２０２が、Ｘ軸方向両端に取り付けられる一対のエンドプレート２０，２２を備えると共に、更に、Ｘ軸方向に積層された複数の電池モジュール１２，１０２，２０２からなる電池パック１０，１００，２００が、Ｘ軸方向両端に取り付けられる一対の一括エンドプレート３０，３２を備え、その一対の一括エンドプレート３０，３２が拘束部材３４を拘束するものとしている。しかしながら、本発明はこれに限定されるものではなく、電池モジュール１２，１０２，２０２が備える一対のエンドプレート２０，２２が拘束部材３４を拘束するものであってもよい。
【００７９】
尚、本発明は、上述した実施形態や変形例に限定されるものではなく、本発明の趣旨を逸脱しない範囲で種々の変更を施すことが可能である。
【符号の説明】
【００８０】
１０，１００，２００・・・電池パック、１２，１０２，２０２・・・電池モジュール、１４・・・電池セル、１４ａ・・・端子面、１６・・・正極端子、１８・・・負極端子、２０，２２・・・エンドプレート、２４，２６，２８・・・バスバ、３０，３２・・・一括エンドプレート、３４・・・拘束部材、３６・・・排煙ダクト、３８・・・排煙弁、４０・・・開口部、４２・・・樹脂部材、４４・・・電圧監視ユニット、５０，２０４・・・電気配線、５０−１，２０４−１・・・交差有電気配線、５０−２，２０４−２・・・交差無電気配線、５２・・・第１配線部、５４，２０６・・・第２配線部、６０，６２，２０８・・・端子部、６４，２１０・・・端子部材、１０４・・・圧接ばね、１０６・・・保持部材、２１２・・・雄ねじ。
【図１】
2018073617.tif 000003
【図２】
2018073617.tif 000004
【図３】
2018073617.tif 000005
【図４】
2018073617.tif 000006
【図５】
2018073617.tif 000007
【図６】
2018073617.tif 000008
【図７】
2018073617.tif 000009